(57)【要約】【課題】操作が簡単なストッパー機構を備えたベランダの手摺り装置を提供する。【解決手段】手摺り装置のストッパー機構２７は、ハンガーレール５内に所要間隔おきに設けた嵌合凹部３０と、遮蔽体３の本体枠１７に上下スライド可能に支持され、上端部の嵌合突子３２が嵌合凹部３０に嵌合することにより、遮蔽体側面格子２０の縦格子材１９が手摺り側面格子１２の縦格子材１１と同一直線状に合致した位置で遮蔽体３の移動を停止させる縦杆３３と、縦杆３３と本体枠１７との間に介装され、嵌合突子３２が嵌合凹部３０に嵌合するように縦杆３３を付勢するバネ３５と、本体枠１７に押し引き自在に取り付けられ、先端部にテーパ係合部３６を有する押し釦３７とからなり、押し釦３７を押すことにより先端部のテーパ係合部３６が縦杆３３に設けたテーパ係合部３４に係合摺接して縦杆３３を下動し、嵌合突子３２を嵌合凹部３０から離脱させるようにした。【選択図】図７
2011236647.tif 000002
【特許請求の範囲】
【請求項１】
ベランダに設けた手摺りと天井部の間の開口部を部分的又は全面的に遮蔽する遮蔽体を、天井部に設けたハンガーレールに移動可能に支持するようにした手摺り装置であって、手摺りを、手摺り本体と、手摺り本体の屋外側に多数の縦格子材を一定ピッチで取り付けた面格子とで構成すると共に、遮蔽体を、ハンガーレールに移動可能に吊支される本体枠と、本体枠の屋外側に多数の縦格子材を手摺り側面格子の縦格子材と同一ピッチで取り付けた面格子とで構成し、この遮蔽体を移動させる際に遮蔽体側面格子の各縦格子材が手摺り側面格子の各縦格子材と同一直線上に合致した位置で遮蔽体を停止させるためのストッパー機構を、ハンガーレールに所要間隔おきに設けた嵌合凹部と、遮蔽体の本体枠に上下スライド可能に支持されていて、上端部の嵌合突子が嵌合凹部に嵌合することにより、遮蔽体側面格子の縦格子材が手摺り側面格子の縦格子材と同一直線状に合致した位置で遮蔽体の移動を停止させる縦杆と、嵌合突子が嵌合凹部に嵌合するように縦杆を付勢するバネと、本体枠に押し引き自在に取り付けられ、先端部にテーパ係合部を有する押し釦とで構成し、押し釦を押すことにより先端部のテーパ係合部が縦杆に設けたテーパ係合部に係合摺接して縦杆を下動し、嵌合突子を嵌合凹部から離脱させるようにした手摺り装置。
【請求項２】
各嵌合凹部は、下ガイド面とこれの両端から上り傾斜状に延びる両傾斜ガイド面とを有する台枠の下ガイド面に設けられ、押し釦は、最大限引いた状態で先端側テーパ係合部の一部が縦杆のテーパ係合部に係合していて、縦杆上端部の嵌合突子が嵌合凹部に嵌合して遮蔽体の移動を停止させる状態にあり、この状態から押し釦を押すことにより、先端部のテーパ係合部が縦杆のテーパ係合部に係合摺接して縦杆を下動し嵌合突子を嵌合凹部から離脱させ、嵌合突子が嵌合凹部から離脱した後、遮蔽体を移動させて押し釦を最大限引いた状態にすることにより、縦杆は、嵌合突子が台枠の下ガイド面から傾斜ガイド面に当接してその当接高さ位置のまま遮蔽体と共に移動するようになっている請求項１に記載の手摺り装置。
【請求項３】
遮蔽体の本体枠下端部には、振れ止めガイド手段によって手摺り本体の上端部に案内される室内外一対の振れ止め板を設けてなる請求項１又は２に記載の手摺り装置。
【発明の詳細な説明】
【技術分野】
【０００１】
本発明は、マンション、アパートなどの建物のベランダの手摺り装置に関する。なお、ベランダは、建物の外廊下も含むものとする。
【背景技術】
【０００２】
マンションやアパートなどの複数階からなる建物にはベランダを有するものがほとんどであり、このベランダにはアルミなどの金属柵タイプの手摺りが設けられ、この手摺りと天井部との間に開口部が形成されている。
【発明の概要】
【発明が解決しようとする課題】
【０００３】
上記のようにベランダでは手摺りと天井部との間に開口部が形成されていることから、外部からは他人の視野に入ってしまい、プライバシーを確保し難いとい問題があり、また西向きのベランダでは、午後になると、西日の照りつけが厳しく、夏場はかなり暑くなるという問題がある。このような問題を解決するために、本発明の出願人は、ベランダの手摺りと天井部との間の開口部を必要な時に必要な部分を遮蔽できるようにすることで、プライバシーを保護できると共に、西日などの日差しを有効に遮断できるようにしたベランダの手摺り装置を既に出願している（特願２００９−９５４６３）。
【０００４】
そして、その手摺り装置には、遮蔽体を移動させる際に遮蔽体側面格子の各縦格子材が手摺り側面格子の各縦格子材と同一直線上に合致した位置で遮蔽体を停止させるためのストッパー機構が設けてあって、このストッパー機構により、遮蔽体を移動させて任意の位置で停止させても、手摺り側面格子各縦格子材と遮蔽体側面格子の各縦格子材とが直線状に合致することになって、優れた外観上の美観を呈することができる。
【０００５】
ところが、上記既出願の手摺り装置のストッパー機構は、操作がやや面倒であるという問題があった。そこで、本発明は、操作が簡単に行えるストッパー機構を備えたベランダの手摺り装置を提供することを目的とする。
【課題を解決するための手段】
【０００６】
上記課題を解決するための手段を、後述する実施形態の参照符号を付して説明すると、請求項１に係る発明は、ベランダ１に設けた手摺り２と天井部１ａの間の開口部４を部分的又は全面的に遮蔽する遮蔽体３を、天井部１ａに設けたハンガーレール５に移動可能に支持するようにした手摺り装置であって、手摺り２を、手摺り本体９と、手摺り本体９の屋外側に多数の縦格子材１１を一定ピッチで取り付けた面格子１２とで構成すると共に、遮蔽体３を、ハンガーレール５に移動可能に吊支される本体枠１７と、本体枠１７の屋外側に多数の縦格子材１９を手摺り側面格子１２の縦格子材１１と同一ピッチで取り付けた面格子２０とで構成し、この遮蔽体３を移動させる際に遮蔽体側面格子２０の各縦格子材１９が手摺り側面格子１２の各縦格子材１１と同一直線上に合致した位置で遮蔽体３を停止させるためのストッパー機構２７を、ハンガーレール５に所要間隔おきに設けた嵌合凹部３０と、遮蔽体３の本体枠１７に上下スライド可能に支持されていて、上端部の嵌合突子３２が嵌合凹部３０に嵌合することにより、遮蔽体側面格子２０の縦格子材１９が手摺り側面格子１２の縦格子材１１と同一直線状に合致した位置で遮蔽体３の移動を停止させる縦杆３３と、嵌合突子３２が嵌合凹部３０に嵌合するように縦杆３３を付勢するバネ３５と、本体枠１７に押し引き自在に取り付けられ、先端部にテーパ係合部３６を有する押し釦３７とで構成し、押し釦３７を押すことにより先端部のテーパ係合部３６が縦杆３３に設けたテーパ係合部３４に係合摺接して縦杆３３を下動し、嵌合突子３２を嵌合凹部３０から離脱させるようにしてなることを特徴とする。
【０００７】
請求項２は、請求項１に記載の手摺り装置において、各嵌合凹部３０は、下ガイド面２８ａとこれの両端から上り傾斜状に延びる両傾斜ガイド面２８ｂ，２８ｂとを有する台枠２８の下ガイド面２８ａに設けられ、押し釦３７は、最大限引いた状態で先端側テーパ係合部３６の一部が縦杆３３のテーパ係合部３４に係合していて、縦杆３３上端部の嵌合突子３２が嵌合凹部３０に嵌合して遮蔽体３の移動を停止させる状態にあり、この状態から押し釦３７を押すことにより、先端部のテーパ係合部３６が縦杆３３のテーパ係合部３４に係合摺接して縦杆３３を下動し嵌合突子３２を嵌合凹部から離脱させ、嵌合突子３２が嵌合凹部３０から離脱した後、遮蔽体３を移動させて押し釦３７を最大限引いた状態にすることにより、縦杆３３は、嵌合突子３２が台枠２８の下ガイド面２８ａから傾斜ガイド面２８ｂに当接してその当接高さ位置のまま遮蔽体３と共に移動するようになっていることを特徴とする。
【０００８】
請求項３は、請求項１又は２に記載の手摺り装置において、遮蔽体３の本体枠１７下端部には、振れ止めガイド手段５２，５２、５３，５３によって手摺り本体９の上端部に案内される室内外一対の振れ止め板５１，５１を設けてなることを特徴とする。
【発明の効果】
【０００９】
上記解決手段による発明の効果を、後述する実施形態の参照符号を付して説明すると、請求項１に係る発明によれば、ベランダの屋外端部に手摺り２を設置し、この手摺り２と天井部１ａの間の開口部４を部分的又は全面的に遮蔽する遮蔽体３を、天井部に設けたハンガーレール５に移動可能に支持するようにしたから、遮蔽体３を移動させることにより、屋内状況に応じて外部からの視線を遮蔽でき、プライバシーを有効に保護できるし、その日の時間によって変化する日差しを遮蔽することもできる。また、遮蔽体３を天井部に設けたハンガーレール５に吊持するようしているから、手摺り２側にガイドレールなどを設ける場合に比べ、ベランダ床部１ａを有効に使用することができる。また、手摺り本体９と、手摺り本体９の屋外側に多数の縦格子材１１を一定ピッチで取り付けた面格子１２とで構成すると共に、遮蔽体３を、ハンガーレール５に移動可能に吊支される本体枠１７と、本体枠１７の屋外側に多数の縦格子材１９を手摺り側面格子１２の縦格子材１１と同一ピッチで取り付けた面格子２０とで構成し、遮蔽体３を、遮蔽体３を、ハンガーレール５に移動可能に吊支される本体枠１７と、本体枠１７の屋外側に多数の縦格子材１９を手摺り側面格子１２の縦格子材１１と同一ピッチで取り付けた面格子２０とで構成したもので、室外側から見た時に、手摺り２と遮蔽体３とが同じ面格子１２，２０どうしで統一されるため、手摺りと遮蔽体３との間に違和感がなく、アパートやマンションなどの集合住宅の場合には全体が同じ面格子により統一され、優れた美観を呈することができる。
【００１０】
そして、遮蔽体３を移動させる際に遮蔽体側面格子２０の各縦格子材１９が手摺り側面格子１２の各縦格子材１１と同一直線上に合致した位置で遮蔽体３を停止させるストッパー機構２７を、ハンガーレール５に所要間隔おきに設けた嵌合凹部３０と、遮蔽体３の本体枠１７に上下スライド可能に支持されて、上端部の嵌合突子３２が嵌合凹部３０に嵌合することにより、遮蔽体側面格子２０の縦格子材１９が手摺り側面格子１２の縦格子材１１と同一直線状に合致した位置で遮蔽体３の移動を停止させる縦杆３３と、嵌合突子３２が嵌合凹部３０に嵌合するように縦杆３３を付勢するバネ３５と、本体枠１７に押し引き自在に取り付けられ、先端部にテーパ係合部３６を有する押し釦３７とで構成したから、遮蔽体３を所要位置まで移動させる時に、縦杆３３上端部の嵌合突子３２がハンガーレール５側の押し釦３７に嵌合することにより、遮蔽体３を停止させることができ、その停止位置では押し釦３７を押すだけで、嵌合突子３２が嵌合凹部３０から離脱して、遮蔽体３を再び移動させることができる。
【００１１】
請求項２に係る発明によれば、各嵌合凹部３０は、下ガイド面２８ａと両傾斜ガイド面２８ｂ，２８ｂとを有する台枠２８の下ガイド面２８ａ設けられ、押し釦３７は、最大限引いた状態で先端側テーパ係合部３６の一部が縦杆３３のテーパ係合部３４に係合していて、縦杆３３上端部の嵌合突子３２が嵌合凹部３０に嵌合して遮蔽体３の移動を停止させる状態にあり、この状態から押し釦３７を押すことにより、テーパ係合部３６が縦杆３３に設けたテーパ係合部３４に係合摺接して縦杆３３を下動し嵌合突子３２を嵌合凹部から離脱させ、嵌合突子３２が嵌合凹部３０から離脱した後、遮蔽体３を移動させて押し釦３７を最大限引いた状態にすることにより、縦杆３３は、嵌合突子３２が台形状台枠２８の下ガイド面２８ａから傾斜ガイド面２８ｂに当接して、その当接高さ位置のままで遮蔽体３と共に移動するから、遮蔽体３を移動させる時は、押し釦３７を最大限引いた状態にしておけば、遮蔽体３の移動による縦杆３３の移動によって、嵌合突子３２が台枠２８の傾斜ガイド面２８ｂに当接すると、その当接に従って、縦杆３３がバネ３５に抗して下動しつつ嵌合突子３２が下ガイド面２８ａに移り、嵌合凹部３０に嵌合することにより、遮蔽体３の移動が停止し、従って遮蔽体３を再び移動させる時に押し釦３７を押して嵌合突子３２を嵌合凹部３０から離脱すればよく、操作がきわめて簡単容易である。
【００１２】
請求項３に係る発明によれば、遮蔽体３の本体枠１７下端部に、振れ止めガイド手段５２，５２、５３，５３によって手摺り本体９の上端部に案内される室内外一対の振れ止め板５１，５１を設けているから、本体枠１７の振れを防止して、本体枠１７をスムーズに移動させ得るようにすると共に、強風時などに本体枠１７の振動による騒音の発生を抑制することができる。
【図面の簡単な説明】
【００１３】
【図１】(a) は本発明に係るベランダの手摺り装置の一実施形態を屋外から見た正面図、(b) は(a) Ｘ−Ｘ線断面図である。
【図２】(a) は図１の(b) の要部拡大図、(b) は振れ止めガイド手段の他の例を示す断面図である。
【図３】図２のＹ−Ｙ線断面図である。
【図４】図２のＶ−Ｖ線拡大断面図である。
【図５】図２のＷ−Ｗ線拡大断面図である。
【図６】(a) は図３の矢印Ｐで示す部分の拡大図、(b) は(a) のＱ−Ｑ線断面図であり、(c) は図７のＳ−Ｓ線断面図である。
【図７】ストッパー機構を説明する説明図である。
【図８】である。
【図９】(a) は押し釦を表側から見た外観斜視図、(b) は押し釦を裏側から見た斜視図である。
【発明を実施するための形態】
【００１４】
以下に本発明の好適な一実施形態を図面に基づいて説明すると、図１は複数階からなるアパートのベランダの手摺り装置を屋外から見た正面図で、この図において、１はベランダスラブで、上面側がベランダ床部１ａ、下面側がベランダ天井部１ｂを示す。２はベランダ床部１ａの屋外端部に設置された手摺り、３は手摺り２とベランダ天井部１ｂとの間の開口部４を部分的に遮蔽可能な遮蔽体を示すもので、この遮蔽体３は、ベランダ天井部１ｂに設けられたハンガーレール５に吊り車６（図２の(a) 参照）を介して移動可能に支持されている。また図１の(a) において、Ｌはアパート１戸分の区画範囲を示す。
【００１５】
上記手摺り装置の構造について図２〜図５により更に詳しく説明すれば、手摺り２は、ベランダ床部１ａの屋外端部にある堰壁部１ｏ上に所要間隔おきに立設された複数の支柱７の上端部に手摺り笠木８を架け渡してなる手摺り本体９と、上下横桟１０，１０の屋外側側面に多数の縦格子材１１を横桟長手方向一定ピッチで取り付けてなり且つブラケット１３を介して手摺り本体９の屋外側に一体的に連結された面格子１２とからなる。
【００１６】
遮蔽体３は、左右縦枠１４，１４と上下横枠１５，１６とにより矩形枠状に形成された本体枠１７と、上下横桟１８，１８の屋外側側面に多数の縦格子材１９を図３に示すように手摺り２の面格子１２の縦格子材１１と同じピッチで取り付けてなり且つブラケット２１を介して本体枠１７の屋外側に一体的に連結された面格子２０とからなるもので、本体枠１７がハンガーレール５に吊り車６を介して移動可能に支持されている。
【００１７】
ハンガーレール５は、図２及び図６の(b) から分かるように、上壁部５ａと、左右両側壁部５ｂ，５ｂと、両側壁部５ｂ，５ｂの夫々下端部に内向きに対向形成されたレール部５ｃ，５ｃとからなるもので、上壁部５ａに取り付けた複数の吊りボルト２２を、ベランダ天井部１ｂのアンカー金物２３に溶接することによって、ベランダ天井部１ｂに固定されるようになっている。このハンガーレール５内の上部側には、後述するストッパー機構２７の取付レール２４が付設されている。
【００１８】
遮蔽体３の本体枠１７には上横枠１５に吊り車６が複数取り付けられ、各吊り車６は、図６の(a) ，(b) に示すように、台枠６ａの前後端部に夫々左右一対の車輪６ｂ，６ｂを軸着すると共に、台枠６ａの前後方向中間部に頭部側を固着したボルト２５の下端部を、本体枠１７の上横枠１５に設けた取付板２６に螺着固定してなるもので、前後各一対の車輪６ｂ，６ｂがハンガーレール５のレール部５ｃ，５ｃに転動可能に載置されて走行するようになっている。また、図２の(a) に示すように、本体枠１７の下横枠１６には室内外両側面部に、手摺り２側の手摺り笠木８の両側面を被うような振れ止め板５１，５１を取り付け、両振れ止め板５１，５１のそれぞれ内側には振れ止めガイド手段としてのガイド輪５２，５２を軸着し、両ガイド輪５２，５２を、手摺り笠木８の室内外両側面部に設けたガイド溝８ａ，８ａに転動可能に嵌合させ、これにより本体枠１７の振れを防止して、本体枠１７をスムーズに移動させ得るようにすると共に、強風時などに本体枠１７の振動による騒音の発生を抑制するようにしている。
【００１９】
図２の(b) は、振れ止めガイド手段の他の例を示したもので、本体枠１７の下横枠１６には、手摺り２の手摺り笠木８の室内外両側面を被うような振れ止め板５１，５１が一体に突設されていると共に、両振れ止め板５１，５１の下端部にガイド部材取付片５１ａ，５１ａが水平内向きに突設されていて、両ガイド部材取付片５１ａ，５１ａに摺動性及び耐摩耗性に優れた合成樹脂製の断面矩形状ガイド部材５３，５３が夫々ビス５４によって取り付けられ、しかして両ガイド部材５３，５３は、手摺り笠木８の下面側両側端部に設けられた断面Ｌ字形の係合段部８ｂ，８ｂに係合した状態で摺動案内されるようになっている。このような合成樹脂製のガイド部材５３，５３からなる振れ止めガイド手段は、手摺り笠木８に対する摺動性が良好なため、振れ止め板５１，５１を非常に滑らかに案内することができて、ガタつきや不愉快な騒音を発生させることなく、本体枠１７を一層スムーズに軽快に移動させることができる。
【００２０】
また、遮蔽体３の本体枠１７を形成する上横枠１５とハンガーレール５との間には、遮蔽体３を移動させる際に面格子２０の各縦格子材１９が手摺り２の面格子１２の各縦格子材１１と同一直線上に合致した位置で遮蔽体３を停止させるストッパー機構２７が介装されている。このストッパー機構２７は、移動させた遮蔽体３を任意の位置で停止させた時に、遮蔽体３の面格子２０の各縦格子材１９が手摺り２の面格子１２の各縦格子材１１に対してズレていると、外観上の体裁、見栄えが悪くなることから、常に遮蔽体３をその面格子２０の各縦格子材１９が手摺り２の面格子１２の各縦格子材１１と同一直線上に合致した位置で停止できるようにするためのものである。
【００２１】
上記ストッパー機構２７について説明すると、先ず、図１、図６，図７に示すように、ハンガーレール５内にその全長に亘って取付レール２４を付設し、この取付レール２４の下面側に、図８に示すような正面視略逆台形状の台枠２８をコ字枠状の支持金具３１と共に所要間隔おきに取り付ける。この台枠２８は、図７，図８から分かるように、下面側に、下ガイド面２８ａとこれの両端から上り傾斜状に延びる両傾斜ガイド面２８ｂ，２８ｂとを形成し、両端部にはビス孔２９ａ付き取付片２９を水平に突設したもので、下ガイド面２８ａの長手方向中央部に嵌合凹部３０を凹設している。この台枠２８を取付レール２４に取り付けるには、嵌合凹部３０の裏側にコ字枠状の支持金具３１を配置した状態で、嵌合凹部３０の底部にあるビス孔３０ａから支持金具３１のビス孔３１ａを通して取付レール２４にビス３１をねじ込むことにより、台枠２８の中央部を取付レール２４に固定し、また両端部の取付片２９をビス孔３１ａを利用してビス（図示省略）止めして台枠２８の両端部を固定する。この実施形態では、台枠２８を台形状に形成しているが、円弧状に形成したものでもよい。
【００２２】
また図７に示すように、遮蔽体３の本体枠１７を形成する左右縦枠１４，１４の一方の縦枠１４には、上端部に嵌合突子３２を形成し且つ下端部側にテーパ係合部３４を形成した縦杆３３を上下スライド自在に支持すると共に、嵌合突子３２が前記台枠２８の嵌合凹部３０に嵌合するように縦杆３３を上方へ付勢するコイルバネ３５を縦枠１４と縦杆３３との間に介装し、また縦枠１４の下部側には、先端部にテーパ係合部３６を有する押し釦３７を縦杆３３と直交する方向に押し引き自在に設け、しかして遮蔽体３を移動させる際に縦杆３３上端部の嵌合突子３２が前記台枠２８の嵌合凹部３０に嵌合することにより、遮蔽体側面格子２０の縦格子材１９が手摺り側面格子１２の縦格子材１１と同一直線状に合致した位置で遮蔽体３の移動を停止させ、この状態から押し釦３７を押すことにより、先端部のテーパ係合部３６が縦杆３３のテーパ係合部３４に係合摺接して縦杆３３を下動し、嵌合突子３２を嵌合凹部３０から離脱させるようにしている。
【００２３】
上記ストッパー機構２７の構造について更に詳しく説明すれば、縦杆３３は、図７に示すように、丸棒状の上部縦杆３３ａとこれの下端部に垂下連結された帯板状の下部縦杆３３ｂとによって形成され、上部縦杆３３ａは本体枠１７の縦枠１４に設けられた上下の軸受部材３８，３９により上下スライド自在に支持され、帯板状の下部縦杆３３ｂは、縦枠１４に設けられたガイド板４０，４０間及びガイド板４１，４１間で上下スライド自在に介挿され、そしてコイルバネ３５は上部縦杆３３ａに固定した固定リング４２と下部軸受部材３９側に固定した固定リング４３との間に介装されている。尚、図７において、上部縦杆３３ａの下端部と下部縦杆３３ｂの上端部との連結部を５０で示す。
【００２４】
また図７に示すように、帯板状下部縦杆３３ｂの所要部が略くの字状に折曲され（このくの字状折曲部を３３ｂｏで示す）、その下側斜辺部の内面側をテーパ係合部３６とし、このテーパ係合部３６に押し釦３７の先端テーパ係合部３６が係合するようにしている。また帯板状下部縦杆３３ｂの所要部には長孔４４を設けて、この長孔４４には縦枠１４に固定されたガイドピン４５を挿通し、この長孔４４とガイドピン４５とによって縦杆３３の上下動を所定ストロークに制限している。
【００２５】
押し釦３７は、図７及び図９の(a) ，(b) に示されるように、縦枠１４の内側壁１４ａに取り付けられた取付基板４６の中央部に設けてある断面矩形のガイド孔４７を貫通する断面矩形の釦本体３７ａと、この釦本体３７ａより径大で、取付基板４６に突設されたガイド円筒部４６ａにスライド自在に嵌合する断面円形の基軸部３７ｂと、基軸部３７ｂの基端部に突設された径大鍔部３７ｃとからなるもので、釦本体３７ａの先端部にテーパ係合部３６が形成され、またこの釦本体３７ａの先端側上面には、縦杆３３の上端嵌合突子３２が嵌合凹部３０に嵌合した状態でも釦本体３７ａのテーパ係合部３６の一部分を常時縦杆３３側のテーパ係合部３４に当接させておくためのストッパー４８が取り付けられている。図７及び図９の(b) において、４９は縦枠１４に設けられた開口部で、釦本体３７ａの先端部側が突出する。
【００２６】
しかして、押し釦３７は、図７の実線図示のように、最大限引いた状態で先端側テーパ係合部３６の一部が縦杆３３のテーパ係合部３４に係合していて、縦杆３３上端部の嵌合突子３２が嵌合凹部３０に嵌合して遮蔽体３の移動を停止させる状態にあり、この状態から押し釦３７を図７の仮想線図示のように押すことにより、先端部のテーパ係合部３６が縦杆３３のテーパ係合部３４に係合摺接して縦杆３３を下動して嵌合突子３２が嵌合凹部３０から離脱した後、遮蔽体３を移動させ、押し釦３７を再び図７の実線図示のように最大限引いた状態にすることによって、縦杆３３上端部の嵌合突子３２は台枠２８の下ガイド面２８ａを経て傾斜ガイド面２８ｂの途中まで当接し、この嵌合突子３２が台枠２８から離れた後も、縦杆３３は、嵌合突子３２が嵌合凹部３０に嵌合した状態の高さ位置、即ち図７の仮想線図示のように嵌合突子３２が傾斜ガイド面２８ｂの途中に当接していた位置と同じ位置を保持して取付レール２４の下面に当たることなく、遮蔽体３と一緒に移動する。そして、遮蔽体３の移動により、縦杆３３上端部の嵌合突子３２が次の台枠２８の傾斜ガイド面２８ｂに当接すると、その当接に従って、縦杆３３がコイルバネ３５の付勢力に抗して下動しつつ嵌合突子３２が下ガイド面２８ａに移り、嵌合凹部３０に嵌合することによって、遮蔽体３の移動が停止され、この停止位置では手摺り２側の面格子１２の各縦格子材１１と遮蔽体３側の面格子２０の各縦格子材１９とが直線状に合致することになる。
【００２７】
上述したようなベランダの手摺り装置によれば、ベランダ床部１ａの屋外端部に手摺り２を設置して、この手摺り２と天井部１ａとの間の開口部４を部分的に遮蔽する遮蔽体３を、ベランダ天井部１ｂに設けたハンガーレール５に吊り車６を介して移動可能に支持するようにしたから、いま、遮蔽体３は、図１の(a) に示すように、開口部４の左側にあるが、遮蔽体３を移動させることによって、屋内状況に応じて外部からの視線を遮蔽でき、プライバシーを有効に保護することができる。例えば、キッチンとリビングルームがベランダ側に面している場合、キッチンで料理を行っている時にその状況を外部から極力見られたくない時は遮蔽体３をリビング側に移動させればよく、またリビングルームに家族が集まったりする時にはリビングルーム側に遮蔽体３を移動させることができる。また西向きのベランダでは、午後になると、西日の照りつけが厳しく、夏場はかなり暑くなるが、その西日が入る方向に応じて、遮蔽体３を移動させることにより、日差しを有効に遮蔽することができる。
【００２８】
また、手摺り２は、ベランダ１の屋外端部に設置した手摺り本体９と、上下横桟１０，１０の屋外側側面に多数の縦格子材１１を横桟長手方向一定ピッチで取り付けてなり且つブラケット１３を介して手摺り本体９の屋外側に一体的に連結された面格子１２とからなり、遮蔽体３は、左右縦枠１４，１４と上下横枠１５，１６とで矩形枠状に形成した本体枠１７と、上下横枠１５，１６の屋外側側面に多数の縦格子材１９を前記手摺り２の面格子１２の縦格子材１１と同じピッチで多数の縦格子材１９を取り付けてなり且つブラケット２１を介して本体枠１７の屋外側に一体的に連結された面格子２０とからなるものであって、室外側から見た時に、手摺り２と遮蔽体３とが同じ面格子１２，２０どうしで統一されるようになるため、手摺りと遮蔽体３との間に違和感がなく、またアパートやマンションなどの集合住宅の場合には全体が同じ面格子により統一されるため、優れた美観を呈することができる。
【００２９】
またこの手摺り装置では、遮蔽体３を移動させる際に遮蔽体側面格子２０の各縦格子材１９が手摺り側面格子１２の各縦格子材１１と同一直線上に合致した位置で遮蔽体３を停止させるためのストッパー機構２７を、ハンガーレール５の下側に所要間隔おきに設けた嵌合凹部３０と、遮蔽体３の本体枠１７に上下スライド可能に支持されていて、上端部の嵌合突子３２が嵌合凹部３０に嵌合することにより、遮蔽体側面格子２０の縦格子材１９が手摺り側面格子１２の縦格子材１１と同一直線状に合致した位置で遮蔽体３の移動を停止させる縦杆３３と、縦杆３３と本体枠１７との間に介装され、嵌合突子３２が嵌合凹部３０に嵌合するように縦杆３３を付勢するバネ３５と、本体枠１７に押し引き自在に取り付けられ、先端部にテーパ係合部３６を有する押し釦３７とで構成し、押し釦３７を押すことにより先端部のテーパ係合部３６が縦杆３３に設けたテーパ係合部３４に係合摺接して縦杆３３を下動し、嵌合突子３２を嵌合凹部３０から離脱させるようにしたから、遮蔽体３を所要位置まで移動させる時に、縦杆３３上端部の嵌合突子３２がハンガーレール５側の押し釦３７に嵌合することにより、遮蔽体３を停止させることができ、その停止位置では押し釦３７を押すだけで、嵌合突子３２が嵌合凹部３０から離脱して、遮蔽体３を再び移動させることができる。
【００３０】
特にこのストッパー機構２７において、各嵌合凹部３０は、下ガイド面２８ａとこれの両端から上り傾斜状に延びる両傾斜ガイド面２８ｂ，２８ｂとを有する正面視略逆台形状台枠２８の下ガイド面２８ａ中央部に設けられ、押し釦３７は、最大限引いた状態で先端側テーパ係合部３６の一部が縦杆３３のテーパ係合部３４に係合していて、縦杆３３上端部の嵌合突子３２が嵌合凹部３０に嵌合して遮蔽体３の移動を停止させる状態にあって、この状態から押し釦３７を押すことにより、先端部のテーパ係合部３６が縦杆３３に設けたテーパ係合部３４に係合摺接して縦杆３３を下動して嵌合突子３２を嵌合凹部から離脱させ、嵌合突子３２が嵌合凹部３０から離脱した後、遮蔽体３を移動させて押し釦３７を最大限引いた状態にすることにより、縦杆３３は、その上端嵌合突子３２が台枠２８の下ガイド面２８ａから傾斜ガイド面２８ｂに当接してその当接高さ位置のままで遮蔽体３と共に移動するようになっているから、遮蔽体３を移動させる時は、押し釦３７を最大限引いた状態にしておけば、遮蔽体３の移動による縦杆３３の移動によって、嵌合突子３２が台枠２８の傾斜ガイド面２８ｂに当接すると、その当接に従って、縦杆３３がコイルバネ３５の付勢力に抗して下動しつつ嵌合突子３２が下ガイド面２８ａに移り、嵌合凹部３０に嵌合することによって、遮蔽体３の移動が停止し、従って遮蔽体３を再び移動させる時に押し釦３７を押して嵌合突子３２を嵌合凹部３０から離脱すればよく、操作がきわめて簡単容易である。
【００３１】
以上説明した実施形態の手摺り装置では、遮蔽体３は、手摺り２と天井部１ａとの間の開口部４を部分的に遮蔽するものとしているが、夫々単体の遮蔽体を例えば３枚用意し、これら３枚の遮蔽体を引き違い式に構成し、ベランダ天井部１ｂのハンガーレール５には、２つのガイドレールを並設し、これら２つのガイドレールに３つの遮蔽体を引き違い可能に夫々吊り車を介して吊持することによって、開口部４が全面的に遮蔽可能となる。
【符号の説明】
【００３２】
１            ベランダ
２            手摺り
３            遮蔽体
４            開口部
５            ハンガーレール
６            吊り車
７            支柱
８            手摺り笠木
９            手摺り本体
１０          手摺り本体の上下横桟
１１          手摺り本体の左右縦格子材
１２          手摺り側の面格子
１４          本体枠の左右縦枠
１５，１６    本体枠の上下横枠
１７          遮蔽体の本体枠
１８          面格子の上下横枠
１９          面格子の左右縦格子材
２０          遮蔽体の面格子
２７          ストッパー機構
３０          嵌合凹部
３２          嵌合突子
３３          縦杆
３４          縦杆側のテーパ係合部
３５          バネ
３６          押し釦側のテーパ係合部
３７          押し釦
５１          振れ止め板
５２          ガイド輪（振れ止めガイド手段）
５３          ガイド部材（振れ止めガイド手段）
【図１】
2011236647.tif 000003
【図２】
2011236647.tif 000004
【図３】
2011236647.tif 000005
【図４】
2011236647.tif 000006
【図５】
2011236647.tif 000007
【図６】
2011236647.tif 000008
【図７】
2011236647.tif 000009
【図８】
2011236647.tif 000010
【図９】
2011236647.tif 000011